(57)【要約】【課題】カメラや受信装置などの画像入力ユニットが着脱可能な画像表示装置であって、子供や年輩の方等、幅広い年齢層の使用者が画像入力ユニットの着脱を行っても、誤った取付けや接続に伴う破損を未然に防ぐことのできる画像入力部の接続部を備える画像表示装置とその画像入力部を提供すること。【解決手段】画像情報に基づいて画像を表示する画像表示ユニット１００と接続し、且つ、その画像表示ユニット１００で表示する画像情報を入力する画像入力ユニット３００を着脱可能に接続する着脱ユニット２００を設け、着脱ユニット２００に画像入力ユニット３００を少なくとも異なる２方向Ｄ１，Ｄ２以上の係合移動動作を行うことで画像入力ユニット３００から着脱ユニット２００に画像情報を伝達可能とする。【選択図】　図１
2004088738.tif 000002
【特許請求の範囲】
【請求項１】
画像情報に基づいて画像を表示する画像表示部と、
前記画像表示部と接続し、且つ、前記画像表示部で表示する画像情報を入力する画像入力部を着脱可能に接続する接続部と、を有し、
前記接続部は、前記画像入力部と少なくとも異なる２方向以上の係合移動動作により前記画像情報を該画像入力部から入力可能とする係合部を有することを特徴とする画像入力部の接続部を備える画像表示装置。
【請求項２】
前記係合部は、前記２方向と略同一方向を向く略鉤状の溝又は突起であることを特徴とする請求項１に記載の画像入力部の接続部を備える画像表示装置。
【請求項３】
前記接続部は、前記画像情報を前記画像入力部から入力可能となった時に前記画像入力部の画像入力部側電気コネクタと接続する接続部側電気コネクタを有することを特徴とする請求項１に記載の画像入力部の接続部を備える画像表示装置。
【請求項４】
前記接続部側電気コネクタは、前記画像入力部側電気コネクタとの接続方向に対して略直行する方向に移動可能であることを特徴とする請求項３に記載の画像入力部の接続部を備える画像表示装置。
【請求項５】
前記画像入力部側電気コネクタと前記接続部側電気コネクタの前記電気的接続状態と電気的分離状態との間での状態移行の発生を事前に検知する着脱検知部と、
前記着脱検知部からの検知信号に基づいて、前記状態移行に伴い発生するエラーを抑制するエラー抑制制御を、前記状態移行前に実行する安全回路部と、
を有することを特徴とする請求項３又は４に記載の画像入力部の接続部を備える画像表示装置。
【請求項６】
前記着脱検知部は、
前記電気的接続状態で第１の位置に位置し、前記電気的分離状態で第２の位置に位置するレバー部材と、
前記レバー部材を前記第１、第２の位置に移動させるリリース操作部と、
前記レバー部材の前記第１、第２の位置を検知し、該検知信号を出力するセンサと、
を有することを特徴とする請求項５に記載の画像入力部の接続部を備える画像表示装置。
【請求項７】
前記レバー部材は、前記第１の位置で前記電気的接続状態の分離を規制する部材であり、
前記リリース操作部は、前記レバー部材の前記規制を解除可能であることを特徴とする請求項６に記載の画像入力部の接続部を備える画像表示装置。
【請求項８】
画像情報に基づいて画像を表示する画像表示部の接続部と着脱可能であって、該接続部との接続状態により入力した画像情報を該画像表示部に送信する画像入力部であって、
前記接続部に対して少なくとも異なる２方向以上の係合移動動作により前記接続状態とする係合部と、
前記少なくとも異なる２方向以上の係合移動動作により接続部の情報入力部に前記画像情報を出力可能となる情報出力部と、を有することを特徴とする画像入力部。
【請求項９】
前記情報出力部は、前記情報入力部と有線にて前記画像情報を出力可能な電気コネクタであることを特徴とする請求項８に記載の画像入力部。
【請求項１０】
前記電気コネクタは、前記情報入力部との接続方向に対して略直行する方向に移動可能であることを特徴とする請求項９に記載の画像入力部。
【請求項１１】
画像情報に基づいて画像を表示する画像表示部と、
前記画像表示部で表示する画像情報を入力する画像入力部と、
前記画像表示部と接続し、且つ、前記画像入力部を着脱可能に接続する接続部と、を有し、
前記接続部は、前記画像入力部と係合する接続部側係合部を有し、
前記画像入力部は、前記接続部側係合部と係合する入力部側係合部を有し、
前記接続部側係合部に対して前記入力部側係合部が少なくとも異なる２方向以上の係合移動動作により前記接続部に前記画像入力部が前記画像情報を出力可能となることを特徴とする画像入力部の接続部を備える画像表示装置。
【請求項１２】
前記接続部は、前記画像入力部と前記画像表示部に挟まれる位置に前記画像入力部を取外すためのリリース操作部を有し、
前記画像表示部に対して前記接続部が第１の位置関係にある場合には、使用者の指により前記リリース操作部を操作できず、
前記画像表示部を前記接続部に対して回転させ、前記第１の位置関係から第２の位置関係とした場合は、使用者の指により前記リリース操作部を操作できることを特徴とする請求項１１に記載の画像入力部の接続部を備える画像表示装置。
【請求項１３】
前記接続部側係合部は、前記２方向と略同一方向を向く略鉤状の溝であり、
前記入力部側係合部は、前記２方向と略同一方向を向く突起であることを特徴とする請求項１１に記載の画像入力部の接続部を備える画像表示装置。
【請求項１４】
前記接続部側係合部は、前記２方向と略同一方向を向く突起であり、
前記入力部側係合部は、前記２方向と略同一方向を向く略鉤状の溝であることを特徴とする請求項１１に記載の画像入力部の接続部を備える画像表示装置。
【請求項１５】
前記画像入力部から前記接続部への前記画像情報の伝達は、該画像入力部の画像入力部側電気コネクタを該接続部の接続部側電気コネクタに電気的に接続することにより伝達されることを特徴とする請求項１１に記載の画像入力部の接続部を備える画像表示装置。
【請求項１６】
前記接続部側電気コネクタ及び／又は前記画像入力部側電気コネクタは、接続方向に対して略直行する方向に移動可能であることを特徴とする請求項１５に記載の画像入力部の接続部を備える画像表示装置。
【請求項１７】
前記画像入力部は、前記接続部との接続時に、接続部の３方向を向く面の少なくとも各面の一部を覆うことを特徴とする請求項１１乃至１６に記載の画像入力部の接続部を備える画像表示装置。
【請求項１８】
前記画像入力部側電気コネクタと前記接続部側電気コネクタの前記電気的接続状態と電気的分離状態との間での状態移行の発生を事前に検知する着脱検知部と、
前記着脱検知部からの検知信号に基づいて、前記状態移行に伴い発生するエラーを抑制するエラー抑制制御を、前記状態移行前に実行する安全回路部と、
を有することを特徴とする請求項１５又は１６に記載の画像入力部の接続部を備える画像表示装置。
【請求項１９】
前記着脱検知部は、
前記電気的接続状態で第１の位置に位置し、前記電気的分離状態で第２の位置に位置するレバー部材と、
前記レバー部材を前記第１、第２の位置に移動させるリリース操作部と、
前記レバー部材の前記第１、第２の位置を検知し、該検知信号を出力するセンサと、
を有することを特徴とする請求項１８に記載の画像入力部の接続部を備える画像表示装置。
【請求項２０】
前記レバー部材は、前記第１の位置で前記電気的接続状態の分離を規制する部材であり、
前記リリース操作部は、前記レバー部材の前記規制を解除可能であることを特徴とする請求項１９に記載の画像入力部の接続部を備える画像表示装置。
【請求項２１】
前記リリース操作部は、前記接続部から前記画像入力部を取外すために操作される操作部であることを特徴とする請求項２０に記載の画像入力部の接続部を備える画像表示装置。
【発明の詳細な説明】
【０００１】
【発明の属する技術分野】
本発明は、カメラや受信装置などの画像入力部で撮像、受信した画像情報をモニタ部に表示する画像表示装置であって、特に、その画像入力部を着脱可能とする画像表示装置やその画像入力部に関する。
【０００２】
【従来技術】
従来、手にもって操作を行う、カメラ部とモニタ部とを有する撮像装置としては、高解像度の静止画をモニタ部に表示する静止画撮像装置（例えば、いわゆるデジタルカメラ）と、動画をモニタ部に表示する動画撮像装置と、が知られている。
【０００３】
係る動画と静止画の撮像装置は、解像度の格差が大きいことから別個の撮像装置となっている。
【０００４】
一方、両撮像装置のモニタ部は共通に使用可能であるので、撮像装置をモニタ部とカメラ部に分離可能な構成とし、使用目的に応じて共通のモニタ部に静止画用カメラ部か動画用カメラ部を選択的に取付けることで、モニタ部の有効利用が図れる。
【０００５】
【発明が解決しようとする課題】
しかしながら、従来一体的に構成されていたモニタ部とカメラ部を着脱可能とすることで、持ち運びに絶え得る接続強度を確保すると共に、着脱操作性等が重要となる。着脱操作性に関しては、特に係る撮像装置は子供から年輩の方まで使用するため、着脱が容易であることに加え、仮に使用者が誤った無理な取付け方法を行っても接続部分の破損を防いだり、使用中の不慮のカメラ部の脱離等を防ぐ画像入力部の接続部を備える画像表示装置が望まれている。
【０００６】
本発明は、前記の問題点を解消するためになされたものであって、子供や年輩の方等、幅広い年齢層の使用者が使用しても、画像入力部の誤った取付けや接続に伴う破損を未然に防ぐことのできる画像入力部の接続部を備える画像表示装置とその画像入力部を提供することを目的とする。
【０００７】
【課題を解決するための手段】
本発明は、上記の目的を達成するため、次の構成を有する。
本発明では、画像情報に基づいて画像を表示する画像表示部と接続し、且つ、その表示部で表示する画像情報を入力する画像入力部を着脱可能に接続する接続部を設け、接続部に画像入力部を少なくとも異なる２方向以上の係合移動動作を行うことで画像入力部から接続部に画像情報を伝達可能とする接続部と画像入力部とを形成する。
【０００８】
上記構成によれば、接続部に画像入力部を１方向に向かって接続可能とすると、誤って過剰な力が加わったりすることがあるが、少なくとも２方向以上に接続部と画像入力部を係合移動動作することで、誤って１方向目の係合移動動作を行っても異なる２方向目の係合移動動作は意識を集中する必要があるので、画像入力部の接続に伴う誤操作、破損を未然に防ぐことができる。また、使用者にとっては係合移動動作を変更するだけの簡単な操作が付加されるだけのなので、幅広い年齢層の使用者の安全な使用を確保できる。
【０００９】
接続部と画像入力部の係合部を、例えば、その２方向と略同一方向を向く略鉤状の溝や突起で形成することで、容易に２方向以上の係合移動動作を実現できる。
【００１０】
また、接続部と画像入力部間の画像情報の伝達手段として、例えば、電気コネクタを用いる場合、画像入力部の誤接続に伴う電気コネクタの破損を未然に防止できる。
【００１１】
接続部電気コネクタと画像入力部の電気コネクタの少なくとも一方を、例えば、両電気コネクタの接続方向に対して略直行する方向に移動可能とすることで、互いの接続時の破損、接続不良を解消できる。すなわち、接続部と画像入力部の間には、接続を容易にするために、少なくとも接続時に互いに所定の隙間を設けるように設計されるが、係る隙間に起因して両電気コネクタが緩衝し、破損や接続不良を起こす可能性があるが、電気コネクタを接続方向に対して略直行する方向に移動可能とすること、両コネクタの接続時に接続方向に移動するので、破損に至るような干渉を抑えることができ、確実な接続を確保できる。
【００１２】
接続部には、画像入力部と画像表示部に挟まれる位置に画像入力部を取外すためのリリース操作部を設け、且つ、画像表示部に対して接続部が第１の位置関係にある場合には、使用者の指によりリリース操作部を操作できず、画像表示部を接続部に対して回転して第１の位置関係から第２の位置関係となった場合に使用者の指によりリリース操作部を操作できるようにすることで、使用中に誤ってリリース操作部を操作し、画像入力部を思いがけなく外してしまう誤動作を未然に防ぐことができる。また、リリース操作部の操作を検知し、電気的な安全回路の制御を行うことで、装置内の電気部品、画像データ等の破損を防ぐことができる。
【００１３】
また、画像入力部は接続部との接続時に、接続部の３方向を向く面の少なくとも各面の一部を覆うことで、回転動作に対する画像入力部と接続部の接続強度を確保でき、回転動作に伴う電気コネクタへの負荷を軽減できる。
【００１４】
また、接続部と画像入力部間の画像情報の伝達手段として、例えば、無線の送受信装置を用いることで、接続部と画像入力部の接続箇所を少なくできるため、その着脱構造を簡単化することができる。
【００１５】
また、接続部には、例えば、三脚用取付け部を設けることで、三脚の取付け時でも画像表示部の自由な回動動作を確保できる。また、接続部へ画像入力部の接続する時に加わる力の延長方向に三脚用取付け部を設けることができるので、三脚用時の画像入力部の着脱動作を簡単化できる。
【００１６】
また、画像入力部と接続部の電気的接続状態と電気的分離状態との間での状態移行の発生を事前に検知する着脱検知部と、その着脱検知部からの検知信号に基づいて状態移行に伴い発生するエラーを抑制するエラー抑制制御を状態移行前に実行する安全回路部と、を設けることで、有することで画像入力部と接続部を誤って着脱するような誤操作が行われても、装置の故障、データの破損等を未然に防ぐことができる。
【００１７】
着脱検知部を、電気的接続状態で第１の位置に位置し、前記電気的分離状態で第２の位置に位置するレバー部材と、レバー部材を第１、第２の位置に移動させるリリース操作部と、レバー部材の第１、第２の位置を検知しその検知信号を出力するセンサと、を有する構成とすることで、画像入力部と接続部の電気コネクタの接続−分離状態間での移行前には、レバー部材が移動するため、係るレバー部材の位置を検知することで、電気コネクタの接続−分離状態間での移行の事前検知を容易にできる。
【００１８】
また、レバー部材を第１の位置で電気的接続状態の分離を規制する部材とし、リリース操作部をレバー部材のその規制を解除可能とすることで、電気的接続状態の分離時には必ずリリース操作部が操作されるため、電気コネクタの分離状態への移行を確実に検知できる。
【００１９】
また、リリース操作部を接続部から画像入力部を取外すために操作される操作部とすることで、装置のコンパクト化、操作部位が簡略化することに伴う操作性の向上が図れる。
【００２０】
【発明の実施の形態】
以下、図面を参照して本発明の実施形態を詳細に説明する。
図１は、本実施形態に係る画像表示装置の概略構成を斜視図にて示すものであり、該画像表示装置は、画像表示ユニット１００と、画像表示ユニット１００に回動自在に取付けられた着脱ユニット２００と、該着脱ユニット２００に着脱自在であって画像情報の入力部に相当する画像入力ユニット３００と、を有する。図１では、着脱ユニット２００から画像入力ユニット３００を取り外し、その着脱部分を示している。
【００２１】
本実施形態では、図２に示すように、着脱ユニット２００に種々の画像入力ユニット３００を取付けることで、取付けた画像入力ユニット３００の特性に応じた画像を画像表示ユニット１００に表示可能としている。
【００２２】
＜画像表示ユニット１００＞
前記画像表示ユニット１００は、画像入力ユニット３００から着脱ユニット２００を介して入力された画像情報を表示する表示画面１０２を有しており、使用者が手で持って表示画面１０２を見られる大きさ、重量に構成されている。
【００２３】
また、前記画像表示ユニット１００は、画像表示ユニット１００に入力された画像情報を書き込み、読み出し可能な記憶媒体、例えば磁気テ―プ、磁気ディスク、半導体メモリ等に記録可能な構成となっており、また、係る記憶媒体に記憶した内容を前記表示画面１０２に再生表示可能となっている。
【００２４】
前記表示画面１０２は、使用者と対峙する操作側面１０４の略中央に位置し、例えば、使用者が該画像表示ユニット１００を手に持って表示内容を理解できるような大きさとしている。該表示画面１０２の構成としては、画像情報を表示できる、例えば液晶ディスプレイ、プラズマディスプレイ等、現在知られる表示画面を使用できる。
【００２５】
＜着脱ユニット２００＞
前記着脱ユニット２００は、図１に示すように、画像表示ユニット１００の表示画面１０２の向かって右側側面１０６に設けられた縦断面略Ｌ字状部材であり、平板状の嵌合部２０２と、該嵌合部２０２上に突出するソケット部２０４とで概略構成されている。
【００２６】
前記嵌合部２０２は、前記画像入力ユニット３００と構造的に係合、嵌合する所定厚みを有した板状体であり、前記画像表示ユニット１００の右側側面１０６よりやや小さな大きさに形成している。該嵌合部２０２には、上面２１２側からリリースツマミ２０６、レバー２０８、及び一対の受け溝２１０が設けられている。
【００２７】
前記リリースツマミ２０６は、前記嵌合部２０２の上面部２１２のユニット１００側寄りに、該上面部２１２に沿って、該嵌合部２０２の前記画像入力ユニット３００との対向面２１４と同方向に往復動可能なツマミであり、着脱ユニット２００から画像入力ユニット３００を取外す時に操作される。リリースツマミ２０６は、操作面側の形状を山形に形成すると共に、表面に細かな凹凸を形成することで、使用者の指の引っ掛りを良くしている。
【００２８】
本実施形態では、通常使用時の態様で使用者が誤って前記リリースツマミ２０６を操作するのを防ぐため、図３のような前記着脱ユニット２００と画像入力ユニット３００が電気的連結状態では使用者が指で前記リリースツマミ２０６を操作できないようにし、着脱ユニット２００から画像入力ユニット３００を取外す場合には、図４に示すように着脱ユニット２００に対して画像表示ユニット１００とを所定角度回転して前記リリースツマミ２０６を操作可能に露出させように構成している。
【００２９】
すなわち、図３の通常使用時で使用者が指で前記リリースツマミ２０６を操作できないようにするために、前記リリースツマミ２０６の取付け位置を図３に示すように、画像表示ユニット１００と画像入力ユニット３００の上面より凹状に引っ込んだ位置（前記嵌合部２０２の上面部２１２）でユニット１００側寄に設け、そのサイズを該画像表示ユニット１００と画像入力ユニット３００の上面よりも低く（凹状）なる高さに形成し、また、画像表示ユニット１００と画像入力ユニット３００の間隔を規定することとなるリリースツマミ２０６の幅Ｗも、上記作用効果を発揮し得る狭い幅に設けている。
【００３０】
前記レバー２０８（図１）は、前記嵌合部２０２の画像入力ユニット３００との対向面２１４の上方部に設けた孔から突出可能な係止部材であり、画像入力ユニット３００側と嵌合して、着脱ユニット２００から画像入力ユニット３００が後述する第２の方向へのスライド移動防止部材となる。
【００３１】
前記リリースツマミ２０６とレバー２０８は、連動しており、前記リリースツマミ２０６を所定方向に移動することで、レバー２０８が対向面２１４から引っ込み、着脱ユニット２００と画像入力ユニット３００の電気的係合（電気的接続関係）を解除できる。また、前記着脱ユニット２００に画像入力ユニット３００を接続する工程では、レバー２０８が画像入力ユニット３００により押圧されて対向面２１４から引込み、さらに接続工程完了時にはレバー２０８が画像入力ユニット３００の後述する穴３０８に突出、挿入し、その間、該レバー２０８の動きに連動してリリースツマミ２０６も往復動する。前記リリースツマミ２０６とレバー２０８の連動機構を図５、図６に示す。
【００３２】
図５に示すようにリリースツマミ２０６には、上面部２１２を介して連動して動作するカム２０６ａが連結され、該カム２０６ａにはリリースツマミ２０６の往復動作方向ｄ１に対して斜め方向に延びる２箇所の誘導溝部２０６ｂと、該誘導溝２０６ｂと同方向を向く誘導辺２０６ｄとセンサ部Ｓ１を押圧する押圧部２０６ｅとを形成するフランジ２０６ｃと、が形成されている。一方、レバー２０８の基部２０８ａには、前記誘導溝部２０６ｂに係合し該溝内を摺動するロッド２０８ｂと、複数本の直線状のガイドレール２０８ｃと、前記誘導辺２０６ｄと係合摺動するアーム２０８ｄと、が形成されている。前記レバー２０８の基部２０８ａは、リリースツマミ２０６の動作方向ｄ１とは直角方向に延びる図示しないレール溝にガイドレール２０８ｃを係合している。また、図６に示すようにレバー２０８には、レバー２０８が対向面２１４から突出する方向ｄ２に付勢するバネＳ２が設けられている。
【００３３】
上記構成により、リリースツマミ２０６の操作は、カム２０６ａに連動し、誘導溝２０６ｂ、誘導辺２０６ｄからロッド２０８ｂ、アーム２０８ｄに伝達方向を変えながら伝達され、基部２０８ａを介してレバー２０８の往復動を実現している。また、カム２０６ａの動作に連動する押圧部２０６ｅ（被検知部）の動きをセンサ部Ｓ１が感知することで、リリースツマミ２０６やレバー２０８の位置や状態を把握可能としている。
【００３４】
本実施形態の画像表示装置では、着脱ユニット２００と画像入力ユニット３００とが着脱可能となっているために、その着脱に伴う電気的誤動作を防ぐ必要が生じる。
【００３５】
例えば、着脱ユニット２００と画像入力ユニット３００との装着時としては、電源用のバッテリーＳＢ（図４）を下部に設けた画像表示ユニット１００で録画データの再生中に画像入力ユニット３００の接続し、誤った録画処理を行ってしまった場合等のデータ保護等を必要とするような誤操作が生じる場合が想定され、係るエラー抑制制御が必要となる。
【００３６】
また、着脱ユニット２００から画像入力ユニット３００の分離時としては、画像表示ユニット１００の主電源スイッチＭＳ（図１）をＯＮ状態中や、画像入力ユニット３００により撮像・録画中、或いは画像入力ユニット３００の分離処理モード以外等の状態中において、誤って着脱ユニット２００から画像入力ユニット３００を分離する誤操作がなされる場合が起こり得る。具体的には、着脱ユニット２００と画像入力ユニット３００の電気的接続を実現している後述するソケット２１６とプラグ３１０（図１）には電源線、制御信号線、データ線等が含まれているため、分離可能な安全な状態での処理の終了等を行わずにソケット２１６とプラグ３１０を外した場合には、電源線切れに伴う装置自体の機械的エラー（故障）、制御信号線切れによる処理・動作エラー、データ線切れによるデータの記録・保存エラー等の原因となり、係るエラー抑制制御が必要となる。
【００３７】
そこで、本画像表示装置では、着脱ユニット２００と画像入力ユニット３００の接続状態の確立及び解除、より具体的にはソケット２１６とプラグ３１０の電気的接続関係の確立及び解除を前記センサＳ１（図５）を用いて事前に検知し、係るセンサＳ１からの検知信号を用いて前記誤操作時の安全処理制御を行う安全回路ＳＣ（図６）を設けている。以下、詳細に説明する。
【００３８】
前記センサＳ１は、主に、着脱ユニット２００と画像入力ユニット３００の接続動作時にはレバー２０８の動作を、その解除動作時にはツマミ２０６の動作を、それぞれ押圧部２０６ｅ（被検知部）の動きにて検知している。係る構成により着脱事前検知部を形成している。
【００３９】
着脱ユニット２００と画像入力ユニット３００の装着時には、ソケット２１６とプラグ３１０の電気的接続が確立（完了）するまでは、レバー２０８が画像入力ユニット３００により押圧され、対向面２１４から引込状態となり、その動作と連動して押圧部２０６ｅがセンサＳ１を押圧し、センサＳ１はＯＦＦ信号（未装着／解除信号）を出力する。電気的接続が確立時には、レバー２０８が画像入力ユニット３００の穴３０８に突出、挿入され、押圧部２０６ｅがセンサＳ１の押圧を解除するためセンサＳ１はＯＮ信号（装着信号）を出力する。
【００４０】
一方、着脱ユニット２００と画像入力ユニット３００の分離時には、ソケット２１６とプラグ３１０の電気的接続が解除される前にツマミ２０６の解除動作と連動する押圧部２０６ｅがセンサＳ１を押圧し、センサＳ１出力はＯＮ信号（装着信号）からＯＦＦ信号（未装着／解除信号）に変化する。
【００４１】
図７は、前記センサＳ１の信号出力に基づいて着脱ユニット２００と画像入力ユニット３００の脱着による電気的不具合の発生を回避するための安全回路ＳＣを含めた画像表示ユニット１００、着脱ユニット２００及び画像入力ユニット３００のブロック図を示している。
【００４２】
安全回路ＳＣは、画像表示ユニット１００内部の電気・電子回路１００ａとソケット２１６（図１）との間に位置し、それらと接続され、且つ、センサＳ１の信号出力を入力可能に接続されている。
【００４３】
安全回路ＳＣはセンサＳ１からのＯＦＦ信号を受信することで、着脱ユニット２００と画像入力ユニット３００の分離及び装着に伴うソケット２１６とプラグ３１０の電気的接続の解除と接続を事前に判断できる。
【００４４】
そこで、本実施の形態では安全回路ＳＣがＯＦＦ信号を受信した場合には、安全回路ＳＣは装置動作を安全状態に移行するように制御する。例えば、処理停止状態や処理終了状態（通常の終了動作と同様に主電源ＭＳがＯＦＦ状態となる初期状態）となるように、画像表示ユニット１００と画像入力ユニット３００とを制御する。
【００４５】
安全回路ＳＣの前記制御により、着脱ユニット２００と画像入力ユニット３００の電気的接続及び解除に伴う画像表示装置内での不慮の動作エラー、故障等の発生を未然に防ぐことができる。
【００４６】
また、着脱ユニット２００から画像入力ユニット３００を取外す目的で設けられたリリースツマミ２０６と、着脱ユニット２００に対する画像入力ユニット３００のスライド移動防止を目的に設けられたレバー２０８と、を着脱事前検知という他の目的にも使用可能とすることで、着脱事前検知用に着脱ユニット２００と画像入力ユニット３００の着脱を検知する装置を別個に設ける必要がなくなり、装置のコンパクト化や操作部の簡略化が実現できる。また、また、リリースツマミ２０６とレバー２０８とを単一のセンサＳ１で検知可能に形成したので、個別に対応するセンサを設ける場合に較べてさらに装置のコンパクト化が図れる。
【００４７】
また、安全状態として処理停止状態と処理終了状態で説明したが、それに限定するものではなく、主電源ＭＳ（図１）をＯＮ状態で、データ表示、データ送受信、そのデータ送受信に関わる処理等を並行処理可能としてもよい。
【００４８】
また、分離前の状態への復帰操作の案内を、再起動時、復帰操作時に案内表示することで、操作性が向上し、よりユーザーフレンドリーな装置とできる。
【００４９】
また、本実施の形態では安全回路ＳＣを画像表示ユニット１００内に設けたが、その位置を限定するものではなく、適宜、着脱ユニット２００或は画像入力ユニット３００、又は複数箇所に設けてもよい。
【００５０】
また、本実施形態では、押圧部２０６ｅがセンサＳ１を押圧時にＯＦＦ信号（未装着／解除信号）を出力し、押圧部２０６ｅがセンサＳ１の押圧しない時にＯＮ信号（装着信号）を出力するものとしたが、その逆に押圧部２０６ｅがセンサＳ１を押圧時にＯＮ信号（装着信号）、押圧しない時にＯＦＦ信号（装着信号）を出力するように押圧部２０６ｅとセンサＳ１の取付位置関係を変更してもよいことは言うまでもない。
【００５１】
次に、図１に示す受け溝２１０を説明する。
前記受け溝２１０は、前記対向面２１４の上方部両側面に設けられた略Ｌ字状、鉤状等の２方向（略垂直な２方向）に伸びた溝であり、後述する画像入力ユニット３００側の鉤状フック３０８（図１）と凹凸係合可能としている。より具体的には、図８に拡大して示すように、受け溝２１０は着脱ユニット２００に画像入力ユニット３００を装着する方向Ｄ１（第１の方向、図２）に延びた装着溝２１０ａと着脱ユニット２００に対して入力ユニット３００をスライド移動させる方向Ｄ２（第２の方向、図９）に延びたスライド溝２１０ｂ（図８）とを有している。
【００５２】
前記対向面２１４における装着溝２１０ａの開口（図１，図８）は、後述する画像入力ユニット３００側の鉤状フック３０８（図１）の１辺３０８ａが嵌入可能とする大きさであり、前記スライド溝２１０ｂは鉤状フック３０８の１辺３０８ａの厚み分の開口があればよい。従って、装着溝２１０ａとスライド溝２１０ｂの開口は大きさが異なっており、受け溝２１０を対向面２１４から略Ｌ字状に進む方向に見ると装着溝２１０ａの開口（幅）がスライド溝２１０ｂの開口（幅）よりも大きく形成されている。
【００５３】
前記対向面２１４（図１）には、加工精度や具材の変形等による誤差を緩和するために、画像入力ユニット３００との接続時や係合時等に面接触とせず、線接触を可能とするように、両サイド近傍に第２の方向Ｄ２に延びる離間突起Ｐを設けている。尚、本実施形態では離間突起Ｐを着脱ユニット２００に設けたが、画像入力ユニット３００側に設けてもよい。
【００５４】
本実施形態では、着脱ユニット２００と画像入力ユニット３００のスムースな着脱動作を確保するために、着脱ユニット２００に画像入力ユニット３００を係合した時に離間突起Ｐと画像入力ユニット３００との間にクリアランスＬ（約０．２ｍｍ）を設けている（図１２（ｂ）参照）。尚、離間突起Ｐを設けずにクリアランスＬを確保してもよい。
【００５５】
前記着脱ユニット２００（図１）は、前記画像入力ユニット３００を第１の方向Ｄ１に装着し易くするために、図８に示すように前記嵌合部２０２の対向面２１４は稜線部分を面取り加工し、第１の方向Ｄ１に従ってテーパー部分２１４ａを形成している。
【００５６】
尚、図示しないが、前記嵌合部２０２（図１）には画像表示ユニット１００との対向面に画像表示ユニット１００に対して回動可能とする接続部を有し、該接続部に嵌合部２０２と画像表示ユニット１００の電気的接続部品を設けている。
【００５７】
前記ソケット部２０４は、主に、前記画像入力ユニット３００と画像表示ユニット１００を電気的に接続する接続部である。該ソケット部２０４は、ソケット２１６、一対の取付け溝２１８、位置合わせ用マーク２２０、及び下面の三脚取付け部２２４（図９）を有している。
【００５８】
前記ソケット２１６は、後述するプラグ３１０と電気的接続を可能とする接続部材（コネクタ）であり、画像表示ユニット１００と画像入力ユニット３００間の電気信号、電源等の図示しない端子を有し、略対向面２１４に並行に設けられている。
【００５９】
前記取付け溝２１８は、後述する画像入力ユニット３００の緩衝ツメ３１２が係合する溝であり、ソケット２１６よりも着脱ユニット２００の中心方向に位置している。
【００６０】
位置合わせ用マーク２２０は、使用者が前記画像入力ユニット３００を着脱ユニット２００に取付ける場合の位置合わせ用に用いるマーク、記号、刻印等である。本実施形態では、△（三角）形のマークを用いており、前記画像入力ユニット３００の底面を係る△（三角）形のマークに合わせることで画像入力ユニット３００の取付け位置となる。
【００６１】
また、ソケット部２０４は、前記画像入力ユニット３００を装着し易く、且つ、装着時のガタツキを無くすために、装着方向（第２の方向Ｄ２）に従って断面積が広くなる勾配側面２２２を有する略台形形状に形成されている。
【００６２】
また、前記勾配側面２２２には、前記対向面２１４と同様に、離間突起Ｐを両サイドに所定幅に亘って設けて着脱ユニット２００に画像入力ユニット３００を係合した時に離間突起Ｐと画像入力ユニット３００との間に多少のクリアランスＬ（約０．２ｍｍ）を設けている（図１２（ｂ）参照）。尚、本実施形態では、離間突起Ｐを着脱ユニット２００に設けたが、画像入力ユニット３００側に設けてもよい。また、離間突起Ｐを設けずにクリアランスＬを確保してもよい。
【００６３】
三脚取付け部２２４は、図１０に示すように着脱ユニット２００の底面２２６に取付け穴として形成し、図１１に示すように三脚取付け用の雲台２２８を取付け可能となっている。着脱ユニット２００、特にソケット２１６に対して画像入力ユニット３００を取付る方向の延長方向位置に設けることで、画像入力ユニット３００の取付け時に加わる力が三脚方向に逃がすことができ、三脚使用時の画像入力ユニット３００の取付けを簡単にできる。また、着脱ユニット２００に三脚取付け部２２４を設けることで、画像表示ユニット１００を任意の方向に回転でき、また、三脚に画像表示ユニット１００を固定した状態で、画像入力ユニット３００を着脱することが実現できる。
【００６４】
＜画像入力ユニット３００＞
前記画像入力ユニット３００は、画像表示ユニット１００に表示する画像や映像情報を入力するものであり、例えば、静止画撮像用カメラ、動画撮像用カメラ、テレビ信号受信アンテナ等を用いることができる。
【００６５】
前記静止画撮像用カメラとは、例えば、メカニカルなシャッターにより、ＣＣＤ（光電気変換素子、撮像素子）の露光を遮断することにより低スピードで多くの画素をＣＣＤから読み込むことが可能なレンズとＣＣＤとを有するカメラ、或はＣＣＤからプログレッシブの映像を読み込むことができるレンズとＣＣＤを有するカメラである。前記動画撮像用カメラとは、例えば、映像方式に沿って、ＣＣＤからの画素をインターレースで読み込む事が可能なレンズとＣＣＤを有するカメラである。結果的に、静止画撮像用カメラのＣＣＤの画素数は、動画撮像用カメラのＣＣＤの画素数よりも多くなる。また、テレビ信号受信アンテナとは、公知のテレビ信号の受信用アンテナである。尚、図面上では本実施の形態の画像入力ユニット３００としてカメラを用いる場合を示している。
【００６６】
以下、画像入力ユニット３００の着脱ユニット２００との結合部分を中心に説明する。
【００６７】
画像入力ユニット３００の着脱ユニット２００との結合側面３０２（図１）には、該着脱ユニット２００を略嵌合状態に収容可能な凹部（窪み）３０４を設けている。
【００６８】
凹部３０４の奥行き幅ＤＰは、図３に示すように該着脱ユニット２００を略嵌合状態で、前記着脱ユニット２００のレバー２０８、受け溝２１０、ソケット２１６、及び取付け緩衝溝２１８が露出せず、リリースツマミ２０６のみが露出する幅に形成している。
【００６９】
前記凹部３０４には、着脱ユニット２００を接続した時に、前記着脱ユニット２００のレバー２０８、一対の受け溝２１０、ソケット２１６、及び取付け緩衝溝２１８と其々係合、結合等する穴３０６、一対の鉤状フック３０８、プラグ３１０、及び緩衝ツメ３１２を対応する位置に形成している。
【００７０】
前記凹部３０４は、着脱ユニット２００を覆うように構成することで、画像入力ユニット３００の回動負荷が凹部３０４に掛り、直接、プラグ３１０とソケット２１６のみに加わることを防止している。前記作用効果は、取付け時に凹部３０４が対向する着脱ユニット２００の対向面２１４と勾配側面２２２の全面又はその一部を覆いつつ、該対向面２１４や勾配側面２２２と隣り合う２以上の方向を向く側面の全面又は一部を覆うように形成することで奏することができる。
【００７１】
前記穴３０６は、レバー２０８を係合可能な穴であり、着脱ユニット２００に接続状態の画像入力ユニット３００の装着方向（第２の方向Ｄ２）の可動を規制する。
【００７２】
前記鉤状フック３０８は、前記受け溝２１０と凹凸係合する略鉤状、Ｌ字状の突片であり、凹部（窪み）３０４の壁面より起立し、互いに略直行するフック片３０８ａ、３０８ｂから構成されている。
【００７３】
前記プラグ３１０は、前記ソケット２１６と嵌合する電気的接続部材（コネクタ）であり、図示しない配線端子を有している。該プラグ３１０は、前記ソケット２１６との接続時の位置ずれから生じる不安定な接続動作を防ぐために、前記ソケット２１６との接続方向（第２の方向Ｄ２、図９）と略直角方向の可動（フローティイング）可能な構成としている。具体的には、プラグ３１０は、図１２、１３に示すように電気信号、電源等の端子（図示しない）を有する略Ｕ字状のホルダー３１０ａと該ホルダー３１０ａを４方より挟み込む弾性部材３１０ｂとを有している。本実施形態では、弾性部材３１０ｂとして板バネを用いたが、その他の種類のバネやゴム等でもよい。尚、プラグ３１０は、フローティイングと共に傾倒可能ともできる。
【００７４】
前記プラグ端子３１０のフローティング量は、適宜装着実験等により最適な量を決定できるが、本実施形態では図１２（ｂ）に示すように画像入力ユニット３００と着脱ユニット２００のクリアランス量Ｌの１．５倍以上に設定している。より具体的には、前記クリアランスＬ（０．２ｍｍ）に対してフローティングを０．５ｍｍ（２．５倍）としている。
【００７５】
前記緩衝ツメ３１２（図１）は、プラグ３１０より外側（凹部３０４の開口寄り）に位置する凸片であり、使用者が誤ってプラグ３１０を直接、例えば、鉤状フック３０８を受け溝２１０に係合することなしに前記ソケット２１６に接続する時に、その接続を防ぐと共に、プラグとソケットの干渉による破損を防ぐものである。
【００７６】
前記緩衝ツメ３１２は、直接、プラグ３１０をソケット２１６に接続しようとした時には、プラグ３１０が前記ソケット２１６に接触する前に緩衝ツメ３１２がソケット部２０４の勾配側面２２２等の外周面に接触、干渉する大きさに形成されている。
【００７７】
また、前記緩衝ツメ３１２は、画像入力ユニット３００を着脱ユニット２００に正規の接続方向（鉤状フック３０８を受け溝２１０に係合しながらの接続方向、第２の方向Ｄ２、図９）にスライド嵌合する時に、着脱ユニット２００の取付け溝２１８と係合する。
【００７８】
尚、緩衝ツメ３１２の大きさを、前記プラグ３１０とソケット２１６とが接続する前に取付け溝２１８と所定抵抗をもって嵌合する大きさに形成すれば、前記プラグ３１０とソケット２１６の接続直前の緩衝材となり、誤った力が端子に伝達されるのを未然に防ぐことができる。
【００７９】
凹部３０４の壁面は、前記したように前記プラグ３１０がソケット２１６に嵌合した状態で前記着脱ユニット２００との間にクリアランス量Ｌを設けるように形成されている。
【００８０】
また、画像入力ユニット３００と着脱ユニット２００のガタツキ防止のために緩衝材としてクッション部材Ｃ（図１１，図１２）をユニット２００、３００間に設けている。
【００８１】
前記着脱ユニット２００から外した前記画像入力ユニット３００は、プラグ３１０等が露出するため、図１４に示すように前記凹部３０４を閉じるように嵌め込み可能なカバー３１４を形成した。従って、未使用時の画像入力ユニット３００のプラグ３１０等への埃、塵、水分等が付着するのを防ぐことができる。尚、カバー３１２は、画像入力ユニット３００の種類に関らず共通の形状としている。
【００８２】
次に、前記着脱ユニット２００への前記画像入力ユニット３００の着脱動作を、図面を参照しながら説明する。
【００８３】
＜取付け時＞
先ず、図２に示すように、前記着脱ユニット２００の対向面２１４と前記画像入力ユニット３００の凹部３０４を対向させた状態で近づけ、着脱ユニット２００の位置合わせ用マーク２２０と画像入力ユニット３００の底辺を合わせる。係る状態で、必然的に装着溝２１０ａの開口にフック片３０８ａが挿入可
能となると共に、レバー２０８が凹部３０４壁面に接触する。
【００８４】
更に着脱ユニット２００と画像入力ユニット３００を接近方向（第１の方向Ｄ１）に進めることで、装着溝２１０ａにフック片３０８ａが挿入し、且つ、レバー２０８が凹部３０４壁面に押圧されてセンサ部Ｓ１の検出信号が変化する。係る検出信号により、画像入力ユニット３００の取付けを感知でき、取付け時の安全装置（安全回路ＳＣ）が画像表示ユニット１００内部の電気・電子回路１００ａを安全状態（初期状態、処理保存状態、或は並列処理状態）に移行し、ご操作による事故の未然防止ができる。
【００８５】
次に、図９に示すように画像入力ユニット３００を第１の方向Ｄ１と略直角な第２の方向Ｄ２、すなわちソケット端子２１６の配置方向にスライドすることで、フック片３０８ａが装着溝２１０ｂに係合し、レバー２０８が穴３０６に突出係合する。係る状態で、センサＳ１の検出信号が変化し、画像入力ユニット３００の取付け終了を感知し、取付け時の安全装置（安全回路ＳＣ）が画像表示ユニット１００内部の電気・電子回路１００ａを初期状態、或は、接続前の処理の継続処理可能状態とする。また、これと並行して、緩衝ツメ３１２が先ず緩衝溝２１８に嵌合し、続いてプラグ３１０がソケット２１６に嵌合する。
【００８６】
レバー２０８と穴３０６の係合で、両ユニット２００、３００の第２の方向Ｄ２への動きを規制し、フック片３０８ａと装着溝２１０ｂの係合で、両ユニット２００、３００の第１の方向Ｄ１と奥行き方向の動きを規制し、図１５に示すように製品の使用状態となる。
【００８７】
プラグ３１０をソケット２１６に１方向に接近，接続する場合に、使用者が接続動作に集中せずに行うと間違って無理な力を加えたり、不慮の衝突等を起こし、思いがけなくプラグ３１０とソケット２１６を衝突させて破損させてしまう場合がある。しかしながら、本実施形態の場合には、プラグ３１０をソケット２１６に接続するのに異なる２方向以上（第１，第２の方向Ｄ１，Ｄ２、又は複数方向）に画像入力ユニット３００を動かす必要性があるため、使用者は１方向目の動作で間違った無理な力を加えてしまってもプラグ３１０とソケット２１６を衝突させることはなく、更に、単純に１方向での接続ではないので使用者の意識を接続動作に集中する方向に向けることができるので、プラグ３１０とソケット２１６を衝突させて破損させてしまうような事故を未然に防ぐことができる。
【００８８】
前記緩衝ツメ３１２を前記プラグ３１０よりも外側位置（開口側）に設け、該第１、第２方向への接続動作なしに、直接、プラグ３１０を前記ソケット２１６に接続しようとしても、プラグ３１０が前記ソケット２１６に接触する前に緩衝ツメ３１２がソケット部２０４の外周面に接触するので、誤った取付け動作によるプラグ３１０とソケット２１６の破損を未然に防止できる。
【００８９】
前記プラグ３１０がソケット２１６との接続方向（第２の方向Ｄ２、図９）と略直角方向にスライド移動（フローティング）可能な構成とすることで、着脱ユニット２００と画像入力ユニット３００間にクリアランスＬからプラグ３１０とソケット２１６とが接続時に多少ズレる場合であっても、プラグ３１０が接続方向にスライド、傾倒し、安定した接続を維持できる。
【００９０】
また、ソケット部２０４は装着方向（第２の方向Ｄ２）に従って断面積が広くなる勾配側面２２２を有する略台形形状に形成しているので、装着中のクリアランスよりも装着完了時のクリアランスを小さくでき、使用時のガタを減らす効果がある。
【００９１】
また、使用時に、画像入力ユニット３００と着脱ユニット２００間でガタが手に感じると撮影において画面ブレを起こし得るため、ユニット２００、３００間にクッション部材３１２を設けることで、ガタツキ防止を可能とするとともに、両ユニットの着脱動作の際の衝撃を和らげ、部品の破損を防止できる。
【００９２】
＜取外し時＞
画像入力ユニット３００の着脱ユニット２００からの取外しは、前記リリースツマミ２０６を操作し、着脱ユニット２００のレバー２０８の画像入力ユニット３００の穴３０６への係合を外すことで行われる。
【００９３】
一方、図１５に示すような着脱ユニット２００に対して画像表示ユニット１００が所定傾斜範囲内（基準状態）では使用者が指で前記リリースツマミ２０６を操作できない構成であって、前記リリースツマミ２０６を操作するには図４に示すように着脱ユニット２００に対して画像表示ユニット１００を所定角度回転状態とすることで前記リリースツマミ２０６が露出し、操作可能となる。係る構成により、使用頻度の高い基準状態での使用中に誤ってリリースツマミ２０６を操作する誤動作を防ぐことができる。
【００９４】
使用者が前記リリースツマミ２０６を操作した時点で、該ツマミ２０６の動きをセンサ部Ｓ１が検知し、プラグ３１０と前記ソケット２１６の引き抜き前に、プラグ３１０と前記ソケット２１６の引き抜きに伴う事故を未然に防ぐために電気的安全回路ＳＣが画像表示ユニット１００内部の電気・電子回路１００ａを安全状態（初期状態、処理保存状態、或は並列処理状態）に移行する。
を作動する。
【００９５】
前記リリースツマミ２０６を操作し、レバー２０８と穴３０６の係合を解除した後は、前記取付け順序と逆向きに、図１６に示すように着脱ユニット２００に対して画像入力ユニット３００を第２の方向Ｄ２へスライド移動し、続いて第１の方向Ｄ１に移動、分離することとなる。
【００９６】
なお、前記の実施形態では本発明の好適例を説明したが、本発明はこれに限定されないことはもちろんである。
例えば、本実施形態では、第１、第２の方向として直線的な方向を説明したが、例えば第２の方向等を回転方向等にすることもできる。
【００９７】
また、本実施形態では、前記鉤状フック３０８を用いているが、それに替えて単なる棒状部材をフックに用いた場合には、受け溝２１０を使用できる他に３方向以上の受け溝にも対応できる。従って、係る棒状フックを用いた場合、着脱ユニット２００への画像入力ユニット３００の装着方向を３以上もできる。
【００９８】
また、本実施形態では、着脱ユニット２００と画像入力ユニット３００の２方向以上の係合動作を実現するために、着脱ユニット２００側に受け溝２１０を設け、画像入力ユニット３００側に前記鉤状フック３０８等を設けたが、着脱ユニット２００側に前記鉤状フック３０８等を設け、画像入力ユニット３００側に受け溝２１０を設けても上記同様の作用効果を得ることができる。
【００９９】
また、プラグ３１０をフローティング構造としたが、ソケット２１６がソケット部２０４に対して移動可能にフローティング構造としてもよく、また双方のコネクタをフローティング構造としてもよい。
【０１００】
また、上記実施形態では、着脱ユニット２００と画像入力ユニット３００の情報伝達を有線で電気的接続部材（コネクタ）を介して行う場合を説明したが、着脱ユニット２００と画像入力ユニット３００との情報伝達方法はそれに限定するものではなく、無線（電波，光等）の送受信機、例えば近距離通信に適した赤外線送受信を前記ソケット２１６とプラグ３１０に替わって用いることで、ソケット２１６とプラグ３１０のように機械的係合を必要とせず、着脱ユニット２００と画像入力ユニット３００の着脱部分の構成が簡単化できる。尚、無線の送受信機を用いる場合には、着脱ユニット２００に対して画像入力ユニット３００が少なくとも異なる２方向以上の係合移動動作後に始めての情報伝達可能な位置にその送信機と受信機を配置する必要がある。
【０１０１】
【発明の効果】
以上説明した通り、本発明によれば接続部に画像入力部を取付ける際に、２方向以上に取付け動作を意図的に行う必要があるので、使用者の意識を取付け動作に集中させることができるため不注意による衝突等を防ぎ、電気コネクタ等の破損を防ぐことができる。また、接続部と画像入力部の接続方向を変えるという簡単な操作であるので、子供や年輩の方等でも簡単に着脱できる。また、着脱検知部と安全回路部を設けることで、接続部と画像入力部の不適切な着脱に伴う装置の故障、処理エラー、データの破損等を未然に防ぐことができ、安全性、取扱性の高い装置とできる。
【図面の簡単な説明】
【図１】本発明の実施形態に係る画像表示装置の分解斜視図である。
【図２】本発明の実施形態に係る画像入力ユニット３００を着脱ユニット２００に第１の方向Ｄ１に装着する説明図である。
【図３】本発明の実施形態に係るリリースツマミ２０６の説明図である。
【図４】本発明の実施形態に係る着脱ユニット２００から画像入力ユニット３００を取外すための操作説明図である。
【図５】本発明の実施形態に係るリリースツマミ２０６とレバー２０８の連動機構の説明図である。
【図６】本発明の実施形態に係るリリースツマミ２０６とレバー２０８の連動機構の説明図である。
【図７】本発明の実施形態に係る安全回路ＳＣを含めた画像表示ユニット１００、着脱ユニット２００及び画像入力ユニット３００のブロック図である。
【図８】本発明の実施形態に係る着脱ユニット２００上部の斜視図である。
【図９】本発明の実施形態に係る画像入力ユニット３００を着脱ユニット２００に第２の方向Ｄ２に装着する説明図である。
【図１０】本発明の実施形態に係る着脱ユニット２００下部の斜視図である。
【図１１】本発明の実施形態に係る着脱ユニット２００に雲台２２８を取付けた状態の斜視図である。
【図１２】本発明の実施形態に係るソケット２１６とプラグ３１０の構成説明図である。
【図１３】本発明の実施形態に係るプラグ３１０の斜視図である。
【図１４】本発明の実施形態に係る画像入力ユニット３００へのカバー３１２装着説明図である。
【図１５】本発明の実施形態に係る画像表示装置の斜視図である。
【図１６】本発明の実施形態に係る画像入力ユニット３００を着脱ユニット２００から取外す作用的説明図である。
【符号の説明】
１００　画像表示ユニット
１０２　表示画面
２００　着脱ユニット
２０６　リリースツマミ
ＳＣ　安全回路
２１０　受け溝
２１４　対向面
Ｄ１　第１の方向
Ｄ２　第２の方向
Ｐ　離間突起
Ｌ　クリアランス
２１６　ソケット
２２４　三脚取付け部
３００　画像入力ユニット
３０４　凹部
３０８　鉤状フック
３１０　プラグ
３１０ａ　ホルダー
３１０ｂ　弾性部材
【図１】
2004088738.tif 000003
【図２】
2004088738.tif 000004
【図３】
2004088738.tif 000005
【図４】
2004088738.tif 000006
【図５】
2004088738.tif 000007
【図６】
2004088738.tif 000008
【図７】
2004088738.tif 000009
【図８】
2004088738.tif 000010
【図９】
2004088738.tif 000011
【図１０】
2004088738.tif 000012
【図１１】
2004088738.tif 000013
【図１２】
2004088738.tif 000014
【図１３】
2004088738.tif 000015
【図１４】
2004088738.tif 000016
【図１５】
2004088738.tif 000017
【図１６】
2004088738.tif 000018